(57)【特許請求の範囲】
【請求項１】
本体に対して開閉可能であり，原稿の少なくとも一部を支持する支持面が露出する使用時位置と，前記支持面が露出しない不使用時位置と，に変位する原稿支持部と，
前記原稿支持部の位置が使用時位置にあるか不使用時位置にあるかを検知する検知部と，
使用時位置にある前記原稿支持部に支持される原稿を搬送する搬送部と，
前記搬送部によって搬送される原稿を読み取るイメージセンサを含む読取要素と，
少なくとも前記読取要素に電力を供給する供給部と，
原稿の読み取りが行われていない状態で前記検知部の検知結果に基づき前記原稿支持部の位置が使用時位置から不使用時位置に変わったと判断したことを少なくとも１つの条件とする変更条件を満たした場合に，当該変更条件を満たしていない場合と比較して前記読取要素の電力消費量を低減する電力低減処理を実行する非読取時電力制御と，原稿の読み取りが行われている状態で前記検知部の検知結果に基づき前記原稿支持部の位置が使用時位置から不使用時位置に変わったと判断した場合に，少なくとも当該原稿の読み取りが行われている期間は，前記電力低減処理を実行しない読取時電力制御とを行う電力制御部と，
を備えることを特徴とする読取装置。
【請求項２】
請求項１に記載する読取装置において，
前記電力制御部は，前記読取時電力制御として，前記原稿の読み取りが行われている期間が終了した後，所定の待機時間が経過した場合に，前記電力低減処理を実行することを特徴とする読取装置。
【請求項３】
請求項２に記載する読取装置において，
前記電力制御部は，前記待機時間として，読み取った原稿の画像データの出力先となる出力先デバイスとの通信が不能の場合，前記出力先デバイスとの通信が可能の場合と比較してより短い時間を用いることを特徴とする読取装置。
【請求項４】
請求項２または請求項３に記載する読取装置において，
前記電力制御部は，前記読取時電力制御として，前記待機時間が経過する前に，前記検知部の検知結果に基づき前記原稿支持部の位置が不使用時位置から使用時位置に変わったと判断した場合に，前記原稿の読み取りが行われている期間が終了した後，所定の待機時間が経過した時点では，前記電力低減処理を実行しないことを特徴とする読取装置。
【請求項５】
請求項４に記載する読取装置において，
前記電力制御部は，前記読取時電力制御として，前記検知部の検知結果に基づき前記原稿支持部の位置が不使用時位置から使用時位置に変わったと判断した際に，前記待機時間の計時時間を初期値にリセットし，当該リセットを起点にした計時時間が待機時間を経過した場合には，前記電力低減処理を実行することを特徴とする読取装置。
【請求項６】
請求項２から請求項５のいずれか１つに記載する読取装置において，
前記電力制御部は，前記読取時電力制御として，前記待機時間が経過する前に外部入力があった場合，原稿の読み取りが行われている期間が終了した後，所定の待機時間が経過した時点では，前記電力低減処理を実行しないことを特徴とする読取装置。
【請求項７】
請求項６に記載する読取装置において，
前記電力制御部は，前記読取時電力制御として，前記外部入力があった際に，前記待機時間の計時時間を初期値にリセットし，当該リセットを起点にした計時時間が待機時間を経過した場合には，前記電力低減処理を実行することを特徴とする読取装置。
【請求項８】
請求項１から請求項７のいずれか１つに記載する読取装置において，
前記電力制御部は，他の前記変更条件として，原稿の読み取りまたはユーザ操作が完了
した後，所定の待機時間が経過したことを条件とし，
前記電力制御部は，前記非読取時電力制御として，原稿の読み取りまたはユーザ操作が完了した後，所定の待機時間が経過する前に，前記検知部の検知結果に基づき前記原稿支持部の位置が不使用時位置から使用時位置に変わったと判断した場合，前記原稿の読み取りまたはユーザ操作が完了した後，所定の待機時間が経過した時点では，前記電力低減処理を実行しないことを特徴とする読取装置。
【請求項９】
請求項８に記載する読取装置において，
前記電力制御部は，前記非読取時電力制御として，前記検知部の検知結果に基づき前記原稿支持部の位置が不使用時位置から使用時位置に変わったと判断した際に，前記待機時間の計時時間を初期値にリセットし，当該リセットを起点にした計時時間が待機時間を経過した場合には，前記電力低減処理を実行することを特徴とする読取装置。
【請求項１０】
請求項１から請求項９のいずれか１つに記載する読取装置において，
前記電力制御部は，他の前記変更条件として，原稿の読み取りまたはユーザ操作が完了した後，所定の待機時間が経過したことを条件とし，
前記電力制御部は，前記非読取時電力制御として，原稿の読み取りまたはユーザ操作が完了した後，所定の待機時間が経過する前に外部入力があった場合，前記原稿の読み取りまたはユーザ操作が完了した後，所定の待機時間が経過した時点では，前記電力低減処理を実行しないことを特徴とする読取装置。
【請求項１１】
請求項１０に記載する読取装置において，
前記電力制御部は，前記非読取時電力制御として，前記外部入力があった際に，前記待機時間の計時時間を初期値にリセットし，当該リセットを起点にした計時時間が待機時間を経過した場合には，前記電力低減処理を実行することを特徴とする読取装置。
【請求項１２】
請求項１から請求項１１のいずれか１つに記載する読取装置において，
原稿の読み取りが行われている状態で，前記検知部の検知結果に基づき前記原稿支持部の位置が使用時位置から不使用時位置に変わったと判断した場合であっても，当該原稿の読み取りを継続する読取制御部を備えることを特徴とする読取装置。
【請求項１３】
請求項１２に記載する読取装置において，
前記読取制御部は，読み取りを継続した原稿に後続する原稿については，読み取りを行わないことを特徴とする読取装置。
【請求項１４】
請求項１から請求項１３のいずれか１つに記載する読取装置において，
前記原稿支持部は，読み取り前の原稿を支持することを特徴とする読取装置。
【請求項１５】
請求項１から請求項１４のいずれか１つに記載する読取装置において，
前記電力制御部は，電力低減処理として，さらに，読み取った原稿の画像データの出力先となる出力先デバイスとの通信に用いる通信要素の電力消費量も低減することを特徴とする読取装置。
【請求項１６】
請求項１５に記載する読取装置において，
前記電力制御部は，前記通信要素の電力消費量を低減する電力低減処理を実行せずに，前記読取要素の電力消費量を低減する電力低減処理を実行する電力制御と，前記通信要素の電力消費量を低減する電力低減処理，および，前記読取要素の電力消費量を低減する電力低減処理を実行する電力制御とを選択的に実行することを特徴とする読取装置。
【請求項１７】
本体に対して開閉可能であり，原稿の少なくとも一部を支持する支持面が露出する使用時位置と，前記支持面が露出しない不使用時位置と，に変位する原稿支持部と，
前記原稿支持部の位置が使用時位置にあるか不使用時位置にあるかを検知する検知部と，
使用時位置にある前記原稿支持部に支持される原稿を搬送する搬送部と，
前記搬送部によって搬送される原稿を読み取るイメージセンサを含む読取要素と，
読み取った原稿の画像データの出力先となる出力先デバイスとの通信に用いる通信要素と，
少なくとも前記読取要素および前記通信要素に電力を供給する供給部と，
前記読取要素の電力消費量を低減する電力低減処理，および前記通信要素の電力消費量を低減する電力低減処理を実行する電力制御を行う電力制御部と，
を備え，
前記電力制御部は，前記検知部の検知結果に基づき前記原稿支持部の位置が使用時位置にあるときは，前記電力低減処理を行う際，前記読取要素の電力消費量を低減する電力低減処理を実行し，前記検知部の検知結果に基づき前記原稿支持部の位置が不使用時位置にあるときは，前記電力低減処理を行う際，前記読取要素の電力消費量を低減する電力低減処理，および，前記通信要素の電力消費量を低減する電力低減処理を実行することを特徴とする読取装置。
【請求項１８】
請求項１７に記載する読取装置において，
前記電力制御部は，前記読取要素の電力消費量を低減する電力低減処理，および，前記通信要素の電力消費量を低減する電力低減処理を実行している状態で，前記検知部の検知結果に基づき前記原稿支持部の位置が不使用時位置から使用時位置に変わったと判断した場合，前記読取要素の電力消費量を低減する電力低減処理，および，前記通信要素の電力消費量を低減する電力低減処理の実行を終了することを特徴とする読取装置。
【請求項１９】
本体に対して開閉可能であり，原稿の少なくとも一部を支持する支持面が露出する使用時位置と，前記支持面が露出しない不使用時位置と，に変位する原稿支持部と，
前記原稿支持部の位置が使用時位置にある場合と，前記原稿支持部の位置が不使用時位置にある場合とで，異なる信号を出力する検知部と，
使用時位置にある前記原稿支持部に支持される原稿を搬送する搬送部と，
前記搬送部によって搬送される原稿を読み取るイメージセンサを含む読取要素と，
少なくとも前記読取要素および前記検知部に電力を供給する供給部と，
原稿の読み取りが行われていない状態で前記検知部からの信号に基づき前記原稿支持部の位置が使用時位置から不使用時位置に変わったと判断した場合に，前記原稿支持部の位置が使用時位置にある場合と比較して前記読取要素における電力消費量を低減する電力低減処理を実行する非読取時電力制御と，原稿の読み取りが行われている状態で前記検知部からの信号に基づき前記原稿支持部の位置が使用時位置から不使用時位置に変わったと判断した場合に，少なくとも前記原稿の読み取りが行われている期間は，前記電力低減処理を実行しない読取時電力制御とを行う電力制御部と，
を備えることを特徴とする読取装置。
【請求項２０】
請求項１９に記載する読取装置において，
前記電力制御部は，前記非読取時電力制御において，前記検知部に対する電力消費量の低減を行わないことを特徴とする読取装置。
【請求項２１】
請求項１９または請求項２０に記載する読取装置において，
前記電力制御部は，前記読取時電力制御として，前記原稿の読み取りが行われている期間が終了した後，所定の待機時間が経過した場合に，前記電力低減処理を実行することを特徴とする読取装置。
【請求項２２】
請求項２１に記載する読取装置において，
前記電力制御部は，前記読取時電力制御として，前記待機時間が経過する前に，前記検知部からの信号に基づき前記原稿支持部の位置が不使用時位置から使用時位置に変わったと判断した場合に，前記原稿の読み取りが行われている期間が終了した後，所定の待機時間が経過した時点では，前記電力低減処理を実行しないことを特徴とする読取装置。
【請求項２３】
請求項２２に記載する読取装置において，
前記電力制御部は，前記読取時電力制御として，前記検知部からの信号に基づき前記原稿支持部の位置が不使用時位置から使用時位置に変わったと判断した際に，前記待機時間の計時時間を初期値にリセットし，当該リセットを起点にした計時時間が待機時間を経過した場合には，前記電力低減処理を実行することを特徴とする読取装置。
【請求項２４】
請求項１９から請求項２３のいずれか１つに記載する読取装置において，
原稿の読み取りが行われている状態で，前記検知部からの信号に基づき前記原稿支持部の位置が使用時位置から不使用時位置に変わったと判断した場合であっても，当該原稿の読み取りを継続する読取制御部を備えることを特徴とする読取装置。
【請求項２５】
請求項１９から請求項２４のいずれか１つに記載する読取装置において，
ユーザからの入力操作を受け付ける操作パネルを備え，
前記電力制御部は，前記非読取時電力制御において，前記原稿支持部の位置が使用時位置にある場合と比較して，前記操作パネルにおける電力消費量を低減することを特徴とする読取装置。
【発明の詳細な説明】
【技術分野】
【０００１】
本発明は，原稿を読み取る読取装置に関する。さらに詳細には，原稿の読み取りに用いる読取要素の電力消費量を低減する電力制御を行う読取装置に関するものである。
【背景技術】
【０００２】
従来から，スキャナ等の読取装置では，省電力化を実現するため，装置が使用されていない間，原稿の読み取りに用いる読取要素の電力消費量を低減する省電力モードに移行するものがある。
【０００３】
電力供給を制御する読取装置としては，例えば特許文献１に，スキャナ本体に対して開閉可能な折り畳み式の原稿台を備え，その原稿台の開閉に連動してスキャナの電源をオンオフするスキャナが開示されている。
【先行技術文献】
【特許文献】
【０００４】
【特許文献１】特開２００４−３４３２７１号公報
【発明の概要】
【発明が解決しようとする課題】
【０００５】
しかしながら，前記した従来の読取装置には，次のような問題があった。すなわち，特許文献１に開示されたスキャナでは，原稿台の開閉で電源のオンオフが行われてしまう。そのため，読み取り中に原稿台が不使用時位置に移動してしまうと，読み取り画質への悪影響が懸念される。一方，電源のオンオフ制御を原稿台の開閉に連動させる構成自体はユーザにとって使い勝手がよく，電源のオンオフ制御を原稿台の開閉に連動させない構成にすると，ユーザの利便性が悪化してしまう。
【０００６】
本発明は，前記した従来の読取装置が有する問題点を解決するためになされたものである。すなわちその課題とするところは，読み取り画質とユーザ利便性とを両立させた電力制御を行う読取装置を提供することにある。
【課題を解決するための手段】
【０００７】
この課題の解決を目的としてなされた読取装置は，原稿を支持する原稿支持部と，前記原稿支持部の位置が使用時位置にあるか不使用時位置にあるかを検知する検知部と，原稿の読み取りに用いる読取要素に電力を供給する供給部と，原稿の読み取りが行われていない状態で前記検知部の検知結果に基づき前記原稿支持部の位置が使用時位置から不使用時位置に変わったと判断したことを少なくとも１つの条件とする変更条件を満たした場合に，当該変更条件を満たしていない場合と比較して前記読取要素の電力消費量を低減する電力低減処理を実行する非読取時電力制御と，原稿の読み取りが行われている状態で前記検知部の検知結果に基づき前記原稿支持部の位置が使用時位置から不使用時位置に変わったと判断した場合に，少なくとも当該原稿の読み取りが行われている期間は，前記電力低減処理を実行しない読取時電力制御とを行う電力制御部とを備えるとよい。
【０００８】
本発明の読取装置は，原稿の読み取りに用いる読取要素の電力消費量を低減する電力低減処理を実行する。原稿の読み取りに用いる読取要素には，原稿の画像を読み取るスキャナ，原稿を搬送するローラ，読み取った画像データに画処理を行う基板の少なくとも１つを含む。そして，本発明の読取装置は，電力低減処理を実行する電力制御として，原稿の読み取りが行われていない状態で原稿支持部の位置が使用時位置から不使用時位置に変わったと判断したことを少なくとも１つの条件として電力低減処理を実行する非読取時電力制御と，原稿の読み取りが行われている状態で原稿支持部の位置が使用時位置から不使用時位置に変わったと判断した場合に，少なくとも当該原稿の読み取りが行われている期間は，電力低減処理を実行しない読取時電力制御とを実行する。なお，原稿支持部の使用時位置とは，原稿読取りを支障なく行う際に，原稿支持部を移動させるべき位置のことである。
【０００９】
すなわち，本発明の読取装置は，非読取時電力制御として，原稿の読み取りが行われていない間は，原稿支持部の位置が使用時位置から不使用時位置に変わったことに連動して電力低減処理を実行することで，ユーザの利便性が確保される。一方，読取時電力制御として，原稿の読み取りが行われている間に原稿支持部の位置が使用時位置から不使用時位置に変わった場合には，少なくともその原稿に対する読み取りが行われている期間は電力低減処理を実行しないことで，当該原稿の読み取りが完了する機会が確保され，画質の低下が抑制される。これにより，読み取り画質とユーザ利便性との両立を図ることができる。
【００１０】
また，電力制御部は，前記読取時電力制御として，原稿の読み取りが行われている期間が終了した後，所定の待機時間が経過した場合に，前記電力低減処理を実行するとよい。読み取りが完了した後は電力低減処理を実行することで，ユーザの利便性の悪化を防ぐことができる。なお，所定の待機時間は，０時間であってもよく，その場合は，原稿の読み取りが行われている期間が終了した後，即時に電力低減処理を実行する。
【００１１】
また，電力制御部は，前記待機時間として，読み取った原稿の画像データの出力先となる出力先デバイスとの通信が不能の場合，前記出力先デバイスとの通信が可能の場合と比較してより短い時間を用いるとよい。出力先デバイスとの通信が不能な場合は，読取装置の利用可能性が低い。そのため，電力低減処理を実行するまでの待機時間を短縮した方が好ましい。
【００１２】
また，電力制御部は，前記読取時電力制御として，前記待機時間が経過する前に，前記検知部の結果に基づき前記原稿支持部の位置が不使用時位置から使用時位置に変わったと判断した場合に，前記原稿の読み取りが行われている期間が終了した後，所定の待機時間が経過した時点では，前記電力低減処理を実行しないとよい。一旦，電力低減処理を実行してしまうと復帰するのに時間がかかり，読み取り開始が遅延する。この構成によれば，待機時間が経過する前に原稿支持部の位置を使用時位置に戻すことで，原稿の読み取りが行われている期間が終了した後，所定の待機時間が経過した時点では，電力低減処理を実行しない。そのため，例えば，原稿支持部の不使用時位置への移動がユーザの誤操作であった場合に，直ぐに原稿支持部を使用時位置に戻せば，原稿の読み取りが行われている期間が終了した後，所定の待機時間が経過した時点では，電力低減処理を実行しない。そのため，ユーザの使い勝手が向上する。
【００１３】
また，電力制御部は，前記読取時電力制御として，前記待機時間が経過する前に外部入力があった場合，原稿の読み取りが行われている期間が終了した後，所定の待機時間が経過した時点では，前記電力低減処理を実行しないとよい。外部入力とは，例えばＰＣから送信される読み取り命令が該当する。本構成によれば，外部入力があった場合，原稿の読み取りが行われている期間が終了した後，所定の待機時間が経過した時点では，電力低減処理を実行しないことで，次のジョブの読み取り開始の遅延を抑制できる。
【００１４】
また，電力制御部は，他の前記変更条件として，原稿の読み取りまたはユーザ操作が完了した後，所定の待機時間が経過したことを条件とし，非読取時電力制御として，原稿の読み取りまたはユーザ操作が完了した後，所定の待機時間が経過する前に，前記検知部の検知結果に基づき前記原稿支持部の位置が不使用時位置から使用時位置に変わったと判断した場合，前記原稿の読み取りまたはユーザ操作が完了した後，所定の待機時間が経過した時点では，前記電力低減処理を実行しないとよい。この構成によれば，原稿支持部の位置が不使用時位置になったタイミングが，原稿の読み取りとユーザ操作との一方である前回の処理が完了してから所定の待機時間が経過していない場合，すなわち近時に前回の処理があったにもかかわらず原稿支持部の位置が不使用時位置になった場合，原稿支持部の位置が不使用時位置になった後であっても，待機時間が経過するまでの間，電力低減処理の実行を待つ。そして，待機期間が経過するまでの間に原稿支持部の位置が使用時位置に戻された場合は，原稿の読み取りまたはユーザ操作が完了した後，所定の待機時間が経過した時点では，電力低減処理を実行しない。これにより，ユーザに電力低減処理の実行を回避する機会を与えられる。よって，ユーザの使い勝手が向上する。
【００１５】
また，電力制御部は，他の前記変更条件として，原稿の読み取りまたはユーザ操作が完了した後，所定の待機時間が経過したことを条件とし，非読取時電力制御として，原稿の読み取りまたはユーザ操作が完了した後，所定の待機時間が経過する前に外部入力があった場合，前記原稿の読み取りまたはユーザ操作が完了した後，所定の待機時間が経過した時点では，前記電力低減処理を実行しないとよい。この構成であっても，ユーザに電力低減処理の実行を回避する機会を与えられる。よって，ユーザの使い勝手が向上する。
【００１６】
また，電力制御部は，前記読取時電力制御として，前記検知部の検知結果に基づき前記原稿支持部の位置が不使用時位置から使用時位置に変わったと判断した際（あるいは前記外部入力があった際）に，前記待機時間の計時時間を初期値にリセットし，当該リセットを起点にした計時時間が待機時間を経過した場合には，前記電力低減処理を実行するとよい。前記非読取時電力制御でも同様に，前記検知部の検知結果に基づき前記原稿支持部の位置が不使用時位置から使用時位置に変わったと判断した際（あるいは前記外部入力があった際）に，前記待機時間の計時時間を初期値にリセットし，当該リセットを起点にした計時時間が待機時間を経過した場合には，前記電力低減処理を実行するとよい。電力低減処理を実行することで，省電力化を図ることができる。
【００１７】
また，本発明の読取装置は，原稿の読み取りが行われている状態で，前記検知部の検知結果に基づき前記原稿支持部の位置が使用時位置から不使用時位置に変わったと判断した場合であっても，当該原稿の読み取りを継続する読取制御部を備えるとよい。原稿支持部の位置が不使用時位置となった際に原稿の読み取りを一時停止する構成もあり得るが，少なくとも読み取り中の原稿については読み取りを継続する方が，生産性や画質を考慮すると好ましい。
【００１８】
また，前記読取制御部は，読み取りを継続した原稿に後続する原稿については，読み取りを行わないとよい。原稿支持部の位置が不使用時位置にあると，原稿の支持状態が不安定であり，読み取りを継続すると原稿を破損させてしまうおそれがある。そのため，後続の原稿については読み取りを行わない方が好ましい。
【００１９】
また，前記原稿支持部は，読み取り前の原稿を支持するとよい。
【発明の効果】
【００２０】
本発明によれば，読み取り画質とユーザ利便性とを両立させた電力制御を行う読取装置が実現される。
【図面の簡単な説明】
【００２１】
【図１】実施の形態にかかるスキャナの，給紙トレイが閉状態での外観を示す図である。
【図２】実施の形態にかかるスキャナの，給紙トレイが開状態での外観を示す図である。
【図３】図１に示した状態での，スキャナの内部構成の概略を示す図である。
【図４】図２に示した状態での，スキャナの内部構成の概略を示す図である。
【図５】実施の形態にかかるスキャナの電気的構成を示すブロック図である。
【図６】給電制御系の構成を示すブロック図である。
【図７】各種モードと給電状況との関係を示す図である。
【図８】実施の形態にかかるモード切替処理の手順を示すフローチャートである。
【図９】実施の形態にかかる第２省電力モード実行処理の手順を示すフローチャートである。
【図１０】実施の形態にかかる省電力切替処理の手順を示すフローチャートである。
【発明を実施するための形態】
【００２２】
以下，本発明にかかる読取装置を具体化した実施の形態について，添付図面を参照しつつ詳細に説明する。本形態は，消費電力を抑えるモードである省電力モードを有するスキャナに本発明を適用したものである。
【００２３】
［スキャナの構成］
本形態のスキャナ１００は，図１および図２に示すように，スキャナ１００本体を覆う筐体６と，筐体６の上面６Ａを閉塞し，スキャナ１００本体に対して開閉可能な給紙トレイ９１（原稿支持部の一例）と，スキャナ１００本体の下方に位置する排紙トレイ９２とを備えている。なお，図１では，排紙トレイ９２側をスキャナ１００の前側とし，排紙トレイ９２と対向した際の，左手側を左側とし，右手側を右側とし，前後左右の方向を規定する。以下，図２〜図４に示す各方向は，図１に対応させている。
【００２４】
給紙トレイ９１は，筐体６の後方かつ上方に位置して左右方向に延びる回動軸心Ｘ周りに回動可能に筐体６に支持されている。給紙トレイ９１は，図１に示したような，筐体６の上面６Ａを覆った状態からＸ軸周りに開かれると，図２に示すように，筐体６の後ろ側で用紙支持面９１Ａを上方に向ける位置に変位する。本形態では，図２に示したように，用紙支持面９１Ａが露出する位置を給紙トレイ９１の「使用時位置」とし，図１に示したように，用紙支持面９１Ａが露出しない位置を給紙トレイ９１の「不使用時位置」とする。給紙トレイ９１は，使用時位置の状態で，読み取り前の原稿を支持する。一方，給紙トレイ９１は，不使用時位置の状態では，用紙支持面９１Ａが露出しないことから原稿を支持できない。
【００２５】
排紙トレイ９２は，筐体６の下方に位置し，前後方向に出し入れ可能に筐体６に収容される。排紙トレイ９２は，図２に示したように，筐体６の前方に取り出される。本形態では，図２に示したように，排紙トレイ９２が筐体６から取り出された位置を排紙トレイ９２の「使用時位置」とし，図１に示したように，排紙トレイ９２が筐体６に収容された位置を排紙トレイ９２の「不使用時位置」とする。排紙トレイ９２は，給紙トレイ９１と同様に，使用時位置の状態で，読み取り後の原稿を支持する。一方，排紙トレイ９２は，不使用時位置の状態では，原稿を支持できない。
【００２６】
また，筐体６の上面６Ａには，図２に示したように，各種のボタン（例えば，スタートキー，ストップキー，テンキーの各ボタン）によって構成されるボタン群４１と，液晶ディスプレイからなる表示部４２とを備えた操作パネル４０を備えている。操作パネル４０は，給紙トレイ９１の位置が不使用時位置の状態では，給紙トレイ９１が操作パネル４０を閉塞してしまうため（図１参照），ユーザからの入力操作が制限される。一方，操作パネル４０は，給紙トレイ９１の位置が使用時位置になると露出した状態になり，ユーザからの入力操作が可能になる。
【００２７】
図３および図４は，スキャナ１００の内部構成を示している。図３は，給紙トレイ９１および排紙トレイ９２の位置がそれぞれ不使用時位置の状態を示している。図４は，給紙トレイ９１および排紙トレイ９２がそれぞれ使用時位置の状態を示している。
【００２８】
スキャナ１００の内部（すなわち筐体６の内側）には，供給ローラ６２，第１搬送ローラ６３，イメージセンサ２１，２２，第２搬送ローラ６４が配置されている。本形態では，これら画像読み取りに利用される読取要素をまとめて画像読取部２０とする。画像読取部２０は，カラー画像の読み取りが可能であっても，モノクロ画像の読み取り専用であってもよい。
【００２９】
イメージセンサ２１，２２は，一方が原稿の一方の面の画像を読み取り，他方が原稿の他方の面の画像を読み取る。イメージセンサ２１，２２は，左右方向（図４の奥行き方向）に光学素子が一列に並んで配置されており，原稿からの反射光を電気信号に変換して出力する。イメージセンサ２１，２２としては，例えば，ＣＩＳ（Contact Image Sensor）やＣＣＤ（Charge Coupled Device）が適用可能である。
【００３０】
給紙トレイ９１上に支持された原稿９は，図２および図４中の矢印Ｄの方向に向かって，給紙トレイ９１から排紙トレイ９２に搬送される。具体的には，本形態のスキャナ１００は，原稿９のセット時には，給紙トレイ９１を使用時位置の状態とする。そして，図４に示したように，ユーザが給紙トレイ９１上に原稿９をセットする。給紙トレイ９１上に支持された原稿９は，自重によって供給ローラ６２まで移動し，供給ローラ６２によって１枚ずつ搬送路６１の下流側に搬送される。搬送路６１を移動する原稿９は，画像読取部２０を通過する際に読み取られる。そして，読み取り後の原稿９は，排紙トレイ９２上に排出される。すなわち，給紙トレイ９１および排紙トレイ９２は，原稿の搬送路６１の一部を構成する。
【００３１】
また，スキャナ１００は，図３に示したように，給紙トレイ９１の位置が不使用時位置にあると，搬送路６１が給紙トレイ９１の回動軸心Ｘ周りにＵ字状に方向転換する経路になる。そのため，給紙トレイ９１の位置が不使用時位置にある場合には，画像読取部２０による読み取りを開始しない。
【００３２】
なお，スキャナ１００の内部には，画像読取部２０等の他，画像読取部２０等を制御する制御部１０や，給電状態を制御する給電制御系５０が収容されている。制御部１０や給電制御系５０の詳細については後述する。
【００３３】
［スキャナの電気的構成］
続いて，スキャナ１００の電気的構成について説明する。本形態のスキャナ１００は，図５に示すように，画像読取部２０と，給紙トレイ９１の位置が使用時位置にあるか不使用時位置にあるかを検知するセンサ３０（検知部の一例）と，操作パネル４０と，各種構成要素への電力の供給を制御する給電制御系５０と，画像読取部２０を制御する制御部１０と，外部デバイス（出力先デバイスの一例）と接続するための通信インターフェースとなるＵＳＢインターフェース１５およびネットワークインターフェース１６とを備えている。
【００３４】
また，制御部１０は，ＣＰＵ１１と，ＲＯＭ１２と，ＲＡＭ１３と，ＮＶＲＡＭ（Non Volatile RAM）１４とを有している。ＲＯＭ１２には，スキャナ１００を制御するための制御プログラムであるファームウェアや各種設定値等が記憶されている。ＲＡＭ１３は，各種制御プログラムが読み出される作業領域として，あるいは画像データを一時的に記憶する記憶領域として利用される。
【００３５】
ＣＰＵ１１（読取制御部の一例）は，ＲＯＭ１２から読み出した制御プログラムや各種センサから送られる信号に従って，その処理結果をＲＡＭ１３またはＮＶＲＡＭ１４に記憶させながら，スキャナ１００の各構成要素を制御する。
【００３６】
ＵＳＢインターフェース１５は，外部デバイスとの通信を可能にするインターフェースである。スキャナ１００は，例えば，ＵＳＢインターフェース１５にＵＳＢメモリが接続されている場合には，読み取った画像データを当該ＵＳＢメモリに対して出力することができる。ＵＳＢインターフェース１５の接続先は，ＵＳＢメモリに限らず，例えばパーソナルコンピュータ（ＰＣ）であってもよい。接続先がＰＣの場合には，スキャン命令や設定命令等の各種の命令も受け付けることができる。
【００３７】
ネットワークインターフェース１６も，ＵＳＢインターフェース１５と同様に，外部デバイスとの通信を可能にするインターフェースである。スキャナ１００は，例えば，ＵＳＢインターフェース１５と同様に，読み取った画像データをネットワークインターフェース１６を介して接続する外部デバイスに対して出力することができる。また，ネットワークインターフェース１６を介して外部デバイスからの命令を受け付けることができる。
【００３８】
なお，スキャナ１００と外部デバイスとの接続は，ＵＳＢインターフェース１５やネットワークインターフェース１６を介する形態に限るものではない。例えば，スキャナ１００が無線通信インターフェースを有している場合には，無線通信によって外部デバイスと接続してもよい。
【００３９】
画像読取部２０は，原稿を読み取り，読み取った原稿の画像をＰＤＦ等の画像データとして出力する。また，必要に応じて画像データに補正処理を行う。画像データの出力先としては，例えばＵＳＢインターフェース１５やネットワークインターフェース１６を介して接続する外部デバイスが該当する。
【００４０】
センサ３０は，給紙トレイ９１の位置が使用時位置（開状態）にあるか不使用時位置（閉状態）にあるかを識別する信号を出力する。センサ３０は，例えば，発光素子と受光素子とから構成され，給紙トレイ９１の位置が使用時位置にあれば，受光素子が発光素子からの光を受光し，給紙トレイ９１の位置が不使用時位置にあれば発光素子からの光が遮断されて受光素子がその光を受光できないように構成される。
【００４１】
［給電制御］
続いて，スキャナ１００の給電制御について説明する。スキャナ１００は，給電制御系５０として，図６に示すように，電源部５１（供給部の一例）と，電源部５１から供給される電力をスキャナ１００の各種構成要素に分配するスイッチ回路５２と，スイッチ回路５２の各種スイッチの開閉を制御する給電制御部５３（電力制御部の一例）とを有している。
【００４２】
電源部５１は，例えば商用電源あるいはバッテリと接続し，適切な電力に変換する回路で構成され，変換後の電力をスキャナ１００の各種構成要素に供給する。スイッチ回路５２は，給電制御部５３からの信号に応じて，スキャナ１００の各種構成要素に給電するか否かを切り替える。具体的にスキャナ１００には，画像読取部２０への電源系統，制御部１０への電源系統，外部インターフェース（本形態ではＵＳＢインターフェース１５およびネットワークインターフェース１６）への電源系統の各種電源系統がある。スイッチ回路５２は，各種電源系統への給電のオンオフを切り替える。なお，センサ３０および操作パネル４０には，スイッチ回路５２を介さず常に電力が供給される。
【００４３】
ここで，スイッチ回路５２による各種電源系統への給電のオンオフによって実現される複数の給電モードについて説明する。この給電モードには，画像読取部２０等の電力消費量を低減する省電力モードと，画像読取部２０等の電力消費量を低減しない非省電力モードとがある。
【００４４】
具体的に，非省電力モードとして，画像の読み取りが可能であり，データの送受信が可能であり，さらに操作パネル４０での操作の受け付けが可能なレディモードがある。一方，省電力モードとして，各種のインターフェースを介してデータの送受信が可能であり，操作パネル４０での操作の受け付けが可能であるが，画像の読み取りが不能となる第１省電力モードと，画像の読み取り，およびデータの送受信が不能であり，操作パネル４０，センサ３０および給電制御系５０のみが動作可能になる第２省電力モードとがある。
【００４５】
図７は，各種モードと給電状況との関係を示している。図７中，「○」は給電されることを意味し，「×」は給電されないことを意味する。図７に示すように，レディモードでは，画像読取部２０，制御部１０，操作パネル４０，外部インターフェース，センサ３０の全てに電力が供給され，スキャン動作が可能になる。スキャナ１００の起動直後は，レディモードで動作する。また，レディモードで動作中，第１省電力モードに移行するための条件を満たすと，第１省電力モードに移行する。また，レディモードないし第１省電力モードで動作中，第２省電力モードに移行するための条件を満たすと，第２省電力モードに移行する。
【００４６】
第１省電力モードでは，画像読取部２０への給電を遮断する。すなわち，消費電力が大きいイメージセンサ２１，２２等への給電を遮断して，消費電力を抑える。一方，制御部１０，操作パネル４０，および外部インターフェースへの給電は継続し，ユーザ操作を受け付ける。また，レディモードに移行するための条件を満たすと，レディモードに移行する。
【００４７】
第２省電力モードでは，画像読取部２０に加え，制御部１０および外部インターフェースへの給電も遮断する。すなわち，外部デバイスからのデータの送受信が不能になる。これらにより，第１省電力モードよりも消費電力を抑える。一方，センサ３０への給電は継続する。すなわち，センサ３０は，制御部１０とは別の回路によって制御され，第２省電力モードであっても，給紙トレイ９１の位置が使用時位置にあるか不使用時位置にあるかを検知できる。そして，第２省電力モードで動作しているとき，ユーザが給紙トレイ９１の位置を不使用時位置から使用時位置に移動させると，センサ３０の検知結果に基づき給紙トレイ９１の位置が不使用時位置から使用時位置に変わったと判断し，レディモードに移行する。また，操作パネル４０への給電も継続する。すなわち，操作パネル４０は，制御部１０とは別の回路によって制御され，第２省電力モードであっても，ユーザ操作を受け付けることができる。
【００４８】
具体的に，給電制御部５３は，省電力モードに移行するための閾値時間（待機時間の一例）を記憶している。そして，原稿の読み取りが行われている期間が終了した時点，あるいはユーザ操作（例えば，操作パネル４０への入力あるいは外部デバイスからの命令）が完了した時点，を起点とするタイマの計時時間が，閾値時間を経過した場合に，省電力モードに移行する。また，閾値時間を経過した際，給紙トレイ９１の位置が使用時位置であった場合は第１省電力モードに移行し，給紙トレイ９１の位置が不使用時位置の場合には第２省電力モードに移行する。なお，第２省電力モードへの移行後は，タイマを制御する制御部１０への給電が停止するため，タイマは停止する。
【００４９】
給電制御部５３は，現在のモードに応じて，スイッチ回路５２に対して各種電源系統への給電をオンオフする信号を出力する。なお，給電制御部５３は，電源部５１から直接給電され，第２省電力モード中も動作する。そのため，第２省電力モード中であってもセンサ３０からの出力信号を監視し，スイッチ回路５２を制御することができる。
【００５０】
［モード切替処理］
続いて，上記のモードの切り替え動作を実現するモード切替処理（検知部，電力制御部，読取制御部の一例）の手順について，図８のフローチャートを参照しつつ説明する。モード切替処理は，電源部５１に商用電源あるいはバッテリが接続され，電源部５１から給電制御部５３に電力が供給されたことを契機に，給電制御部５３によって実行される。
【００５１】
モード切替処理が実行されると，先ず，給電制御部５３は，初期状態としてレディモードで動作する（Ｓ１０１）。なお，起動直後のモードは，レディモード以外のモードでもよいが，起動時はスキャナ１００が利用される可能性が高いため，レディモードが好ましい。
【００５２】
Ｓ１０１の後は，タイマをスタートさせる（Ｓ１０２）。このタイマの計時時間は，モードの切り替え判断に利用される。また，タイマの計時時間は，原稿の読み取り開始を契機に値が初期値にリセットされる。また，原稿の読み取り中は計時を中断する。そして，原稿の読み取り完了を契機に計時を再開する。また，タイマの計時時間は，ユーザによる操作パネル４０の操作や外部デバイスからの信号の受信によっても，その値が初期値にリセットされる。
【００５３】
次に，外部デバイスとの通信が可能であるか否かを判断する（Ｓ１５１）。外部デバイスには，ＵＳＢインターフェース１５を介して接続可能なＵＳＢメモリや，ネットワークインターフェース１６を介して接続可能なＰＣが該当する。
【００５４】
外部デバイスとの通信が可能である場合には（Ｓ１５１：ＹＥＳ），省電力モードに移行するための閾値時間を，時間Ｔ１（例えば，１５分）に設定する（Ｓ１５２）。一方，外部デバイスとの通信が不能である場合には（Ｓ１５１：ＮＯ），読み取り後のデータの出力先が存在しないため，外部デバイスとの通信が可能である場合に比べ読取指示が行われる可能性が低い。そこで，省電力化を促進するため，閾値時間を時間Ｔ１よりも短い時間Ｔ２（例えば，３分）に設定する（Ｓ１５３）。Ｓ１５２あるいはＳ１５３の後は，Ｓ１０３に移行する。
【００５５】
次に，給紙トレイ９１の位置が使用時位置から不使用時位置に変わったか否かを判断する（Ｓ１０３）。給紙トレイ９１の位置は，センサ３０からの出力信号によって判断できる。なお，Ｓ１０３は，給紙トレイ９１の位置が使用時位置から不使用時位置に変わったことを検知した際に肯定判断（ＹＥＳ）となり，それ以降は再び給紙トレイ９１の位置が使用時位置から不使用時位置に変わったことを検知するまで肯定判断とならない。
【００５６】
給紙トレイ９１の位置が使用時位置から不使用時位置に変わった場合には（Ｓ１０３：ＹＥＳ），タイマの計時時間が閾値時間を超えているか否かを判断する（Ｓ１０４）。タイマの計時時間が閾値時間を超えている場合には（Ｓ１０４：ＹＥＳ），第２省電力モードに移行する第２省電力モード実行処理を実行する（Ｓ１０５）。
【００５７】
図９は，Ｓ１０５の第２省電力モード実行処理の手順を示している。第２省電力モード実行処理では，先ず，スイッチ回路５２に対して各種電源系統への給電のオンオフを切り替える信号を出力して，スイッチ回路５２による各種電源系統への給電のオンオフによって実現される給電モードを第２省電力モードに移行する（Ｓ１８１）。すなわち，給紙トレイ９１の位置が不使用時位置の状態では，操作パネル４０の操作や原稿のセットができない。そのため，ユーザにスキャナ１００を利用する意思がないと推測できる。そこで，給電制御部５３は，消費電力を最大限抑制する第２省電力モードに移行する。
【００５８】
次に，センサ３０からの出力信号に基づき，給紙トレイ９１の位置が不使用時位置から使用時位置に変わったか否かを判断する（Ｓ１８２）。そして，給紙トレイ９１の位置が不使用時位置から使用時位置に変わらない間は（Ｓ１８２：ＮＯ），給紙トレイ９１の位置が不使用時位置から使用時位置に変わるまで待機する。
【００５９】
給紙トレイ９１の位置が不使用時位置から使用時位置に変わった場合には（Ｓ１８２：ＹＥＳ），ユーザがスキャナ１００を利用する予定があると推測できる。そのため，スイッチ回路５２に対して各種電源系統への給電のオンオフを切り替える信号を出力して，スイッチ回路５２による各種電源系統への給電のオンオフによって実現される給電モードをレディモードに移行する（Ｓ１８３）。その後，タイマの計時時間を初期値にリセットした後，タイマの計時を再開する（Ｓ１８４）。Ｓ１８４の後は，第２省電力モード実行処理を終了する。
【００６０】
図８のモード切替処理の説明に戻り，Ｓ１０５の第２省電力モード実行処理の実行後は，Ｓ１５１に移行する。
【００６１】
一方，Ｓ１０４にて，タイマの計時時間が閾値時間を超えていない場合には（Ｓ１０４：ＮＯ），原稿の読み取り中であるか否かを判断する（Ｓ１３１）。タイマの計時時間は，原稿の読み取りを開始した際に初期値にリセットされ，かつ，原稿の読み取り中は計時が中断されることから，原稿を読み取り中であった場合には，タイマの計時時間は閾値時間を超えない。そのため，タイマの計時時間が閾値時間を超えていない場合としては，原稿の読み取り中である場合と，原稿の読み取り完了を起点にしたタイマの計時時間が閾値時間を超えていない場合とがある。
【００６２】
原稿の読み取り中であった場合には（Ｓ１３１：ＹＥＳ），当該原稿の読み取りを継続し，当該原稿の読み取りが行われている期間が終了した後，後続する原稿については読み取り動作を中止する（Ｓ１３２）。すなわち，原稿の読み取り途中でその原稿の読み取りを中止すると，読み取り後の画像データが不完全になる。また，仮に読み取りを再開したとしても読取速度のばらつき等によって画質が低下するおそれがある。そこで，読み取り途中の原稿については読み取りを継続して当該原稿の読み取りを完了させる。一方で，その原稿に後続する原稿については，その後続原稿の搬送に支障が生じる恐れがあることから，読み取りを行わない。なお，Ｓ１３２が完了すると，原稿の読み取りが完了することになるため，中断していたタイマの計時を再開することになる。Ｓ１３２の後，あるいは原稿の読み取り中でなかった場合には（Ｓ１３１：ＮＯ），Ｓ１５１に移行する。
【００６３】
Ｓ１０３の説明に戻り，給紙トレイ９１の位置が使用時位置から不使用時位置に変わっていない場合には（Ｓ１０３：ＮＯ），給紙トレイ９１の位置が不使用時位置から使用時位置に変わったか否かを判断する（Ｓ１１１）。なお，Ｓ１１１は，給紙トレイ９１の位置が不使用時位置から使用時位置に変わったことを検知した際に肯定判断（ＹＥＳ）となり，それ以降は再び給紙トレイ９１の位置が不使用時位置から使用時位置に変わったことを検知するまで肯定判断とならない。
【００６４】
給紙トレイ９１の位置が不使用時位置から使用時位置に変わった場合には（Ｓ１１１：ＹＥＳ），スイッチ回路５２に対して各種電源系統への給電のオンオフを切り替える信号を出力して，スイッチ回路５２による各種電源系統への給電のオンオフによって実現される給電モードをレディモードに移行する（Ｓ１１２）。すなわち，スキャナ１００の各構成要素への給電を再開し，原稿の読み取りを可能にする。なお，給紙トレイ９１の位置が不使用時位置から使用時位置に変わった時点でレディモードであった場合には，Ｓ１１２を実行する必要はない。Ｓ１１２の後，タイマの計時時間を初期値にリセットした後，タイマの計時を再開する（Ｓ１１３）。Ｓ１１３の後，Ｓ１５１に移行する。
【００６５】
給紙トレイ９１の位置が不使用時位置から使用時位置に変わっていない場合には（Ｓ１１１：ＮＯ），第１あるいは第２省電力モードへの自動切り替えを判断する省電力切替処理を実行する（Ｓ１２１）。
【００６６】
図１０は，Ｓ１２１の省電力切替処理の手順を示している。省電力切替処理では，先ず，タイマの計時時間が閾値時間を超えているか否かを判断する（Ｓ２０１）。タイマの計時時間が閾値時間を超えている場合には（Ｓ２０１：ＹＥＳ），給紙トレイ９１の位置が使用時位置か否かを判断する（Ｓ２０２）。
【００６７】
給紙トレイ９１の位置が使用時位置の場合（Ｓ２０２：ＹＥＳ），スイッチ回路５２に対して各種電源系統への給電のオンオフを切り換える信号を出力して，スイッチ回路５２による各種電源系統への給電のオンオフによって実現される給電モードを第１省電力モードに移行する（Ｓ２０３）。この第１省電力モードでは，画像読取部２０への給電は停止するものの，操作パネル４０や外部インターフェース，制御部１０への給電は継続する。第１省電力モードでは，操作パネル４０や外部デバイスからの入力は受け付けることができる。なお，Ｓ２０３の実行時に既に第１省電力モードであった場合には，Ｓ２０３を実行する必要はない。
【００６８】
一方，給紙トレイ９１の位置が不使用時位置の場合（Ｓ２０２：ＮＯ），第２省電力モード実行処理を行う（Ｓ２２１）。第２省電力モードでは，画像読取部２０への給電の他，外部インターフェース，制御部１０への給電も停止する。そのため，第２省電力モードでは，外部デバイスからの入力も受け付けることができない。Ｓ２２１の処理は，Ｓ１０５と同様である。Ｓ２２１の完了後は，省電力切替処理を終了する。
【００６９】
Ｓ２０３の後，あるいはタイマの計時時間が閾値時間を超えていない場合には（Ｓ２０１：ＮＯ），スキャナ１００へのユーザ操作があったか否かを判断する（Ｓ２０４）。スキャナ１００へのユーザ操作としては，例えば，操作パネル４０への入力操作や，ＰＣからのスキャン命令やデータアクセスが該当する。スキャナ１００へのユーザ操作がなかった場合には（Ｓ２０４：ＮＯ），省電力切替処理を終了する。
【００７０】
スキャナ１００へのユーザ操作があった場合には（Ｓ２０４：ＹＥＳ），そのユーザ操作に応じた処理を行うため，スイッチ回路５２に対して各種電源系統への給電のオンオフを切り換える信号を出力して，スイッチ回路５２による各種電源系統への給電のオンオフによって実現される給電モードをレディモードに移行する（Ｓ２０５）。すなわち，スキャナ１００の各構成要素への給電を再開し，原稿の読み取りを可能にする。なお，Ｓ２０５の実行時に既にレディモードであった場合には，Ｓ２０５を実行する必要はない。Ｓ２０５の後，タイマの計時時間を初期値にリセットした後，タイマの計時を再開する（Ｓ２０６）。Ｓ２０６の後，省電力切替処理を終了する。
【００７１】
図８のモード切替処理の説明に戻り，Ｓ１２１の省電力切替処理の実行後は，Ｓ１５１に移行する。
【００７２】
以上詳細に説明したように本形態のスキャナ１００は，原稿９の読み取りが行われていない間は，給紙トレイ９１の使用時位置から不使用時位置への移動に連動して省電力モード（特に，本形態では第２省電力モード）に移行することで，ユーザの利便性を確保する。一方，原稿の読み取りが行われている間に，給紙トレイ９１の位置が使用時位置から不使用時位置へ変わった場合には，少なくともその原稿に対する読み取りが行われている期間は第１省電力モードにも第２省電力モードにも移行しないことで，当該原稿の読み取りを完了させる機会を確保し，画質の低下を抑制する。これにより，本形態のスキャナ１００では，読み取り画質とユーザ利便性との両立が図られる。
【００７３】
なお，本実施の形態は単なる例示にすぎず，本発明を何ら限定するものではない。したがって本発明は当然に，その要旨を逸脱しない範囲内で種々の改良，変形が可能である。読取装置は，スキャナに限らず，複合機，ＦＡＸ等，読取機能を備えるものであれば適用可能である。
【００７４】
また，実施の形態では，給紙トレイ９１の位置が使用時位置にあるか不使用時位置にあるかを条件の１つとして第１ないし第２省電力モードに移行しているが，これに限るものではない。例えば，排紙トレイ９２の位置が使用時位置にあるか不使用時位置にあるかを第１ないし第２省電力モードへの移行条件の１つとしてもよい。すなわち，実施の形態では，給紙トレイ９１の位置が使用時位置にあるか不使用時位置にあるかに連動して電源制御を行っているが，これをそのまま排紙トレイ９２に置き換えてもよい。
【００７５】
また，実施の形態では，レディモードと第１省電力モードと第２省電力モードとの３つのモードを有しているが，これに限るものではない。例えば，レディモードと第２省電力モード（もしくは第１省電力モード）との２つのモードを切り替える構成であってもよい。また，他のモード（例えば，第１省電力モードから第２省電力モードに移行するまでの間に，制御部１０への給電を継続しつつ，外部インターフェースへの給電を遮断する第３省電力モード）を設けてもよい。
【００７６】
また，実施の形態では，操作パネル４０への電力供給を常に行っているが，これに限るものではない。操作パネル４０への電力供給を第２省電力モードにおいて遮断してもよい。
【００７７】
また，実施の形態では，給紙トレイ９１の位置が使用時位置から不使用時位置に変わった場合（Ｓ１０３：ＹＥＳ），タイマの計時時間が閾値時間を経過した後（Ｓ１０４：ＹＥＳ）に第２省電力モードに移行するが，必ずしもタイマの計時時間が閾値時間を経過するのを待つ必要はなく，給紙トレイ９１の位置が使用時位置から不使用時位置となった後すぐに（原稿の読み取り中であればその原稿が読み終わった後すぐに），第２省電力モードに移行してもよい。給紙トレイ９１の位置が使用時位置から不使用時位置となった後に速やかに第２省電力モードに移行することで，省電力効果が高まる。
【００７８】
また，実施の形態では，外部デバイスとの通信が可能か否かによって閾値時間を変更しているが，閾値時間は不変であってもよい。
【００７９】
また，実施の形態では，給紙トレイ９１の位置が使用時位置から不使用時位置となった際，読み取り途中の原稿のみの読み取りを継続しているが，給紙トレイ９１に支持されている原稿すべての読み取りを実施してもよい。ただし，給紙トレイ９１の位置が不使用時位置での原稿搬送は困難が予想され，後続原稿については破損等が特に懸念される。そのため，読み取りの継続は，読み取り途中の原稿に留め，それ以降の後続原稿の読み取りは行わない方が好ましい。
【００８０】
また，実施の形態では，第１省電力モードに移行するための閾値時間と，第２省電力モードに移行するための閾値時間とを共通としているが，それぞれ閾値時間を別に設けてもよい。また，その場合，外部デバイスとの通信が可能であるか否かで，それぞれ個別に閾値時間を変更してもよい。
【００８１】
また，実施の形態では，第１省電力モードの際に，画像読取部２０への給電を遮断することで電力の低減を図っているが，給電を遮断するのではなく，画像読取部２０に対する給電量を減らすことで電力の低減を図ってもよい。同様に，第２省電力モードの際に，画像読取部２０に加え，制御部１０および外部インターフェースへの給電も遮断しているが，給電を遮断するのではなく，画像読取部２０，制御部１０および外部インターフェースの少なくともいずれか一つに対する給電量を減らすことで電力の低減を図ってもよい。
【符号の説明】
【００８２】
６      筐体
９      原稿
１０    制御部
１５    ＵＳＢインターフェース
１６    ネットワークインターフェース
２０    画像読取部
３０    センサ
４０    操作パネル
５０    給電制御系
６１    搬送路
９１    給紙トレイ
９２    排紙トレイ
１００  スキャナ
【図１】
0005935481.tif 000002
【図２】
0005935481.tif 000003
【図３】
0005935481.tif 000004
【図４】
0005935481.tif 000005
【図５】
0005935481.tif 000006
【図６】
0005935481.tif 000007
【図７】
0005935481.tif 000008
【図８】
0005935481.tif 000009
【図９】
0005935481.tif 000010
【図１０】
0005935481.tif 000011